(57)【特許請求の範囲】
【請求項１】
地質調査で使用される各種計測センサーや採水ポンプなどの地質調査器具を地中に設置するための装置であって、前記地質調査器具を設けた先細り体と、この先細り体の上側に設置してこの先細り体を地中に打ち込むための互いに着脱自在に連結される複数の打ち込み体とから構成し、この打ち込み体夫々の上端部に着脱自在となるノッキングヘッドを設け、このノッキングヘッドは、該ノッキングヘッドに設けたガイド棒に対してスライド移動する重り体により打撃される構成であり、この打ち込み体を打撃して打ち込み体を地中に打ち込むことで先細り体を所定深さまで打ち込んだ後、打ち込み体を地中から引き抜いて先細り体を地中に置き去り状態にすることで前記地質調査器具を地中に設置し得るように構成したことを特徴とする地質調査器具を地中に設置するための設置装置。
【請求項２】
前記打ち込み体の下端部に前記先細り体の上部所定位置に上方へのみ離脱自在に係合し得る係合部を設けたことを特徴とする請求項１記載の地質調査器具を地中に設置するための設置装置。
【請求項３】
前記打ち込み体として管状部材から成る打ち込み体を採用して、前記先細り体に設けられる各種計測センサーや採水ポンプなどの地質調査器具の配線を地上へ導出し得るように構成したことを特徴とする請求項１，２のいずれか１項に記載の地質調査器具を地中に設置するための設置装置。
【発明の詳細な説明】
【０００１】
【発明の属する技術分野】
本発明は、各種計測センサーや採水ポンプなどの地質調査器具を地中に設置するための設置装置に関するものである。
【０００２】
【従来の技術及び発明が解決しようとする課題】
近年、益々環境問題についての関心が高まる中、地下に浸透した有害物質が地層、地下水、地下空気を汚染する地質汚染が問題となってきている。地質汚染では有害物質が目に見えないところで蓄積・拡散されるため汚染の発見や状況把握が困難な状況となっている。
【０００３】
これらの地質汚染を浄化するにあたり、効果的な対策工を選択・実施する必要があり、前提となる地下の状況を把握すべく地質調査が行われる。
【０００４】
従来からの地質調査は、地中の数ｍ〜１５ｍ位までの深さ位置に温度センサーを設置して温度を測定したり、所定の位置より採水して地下水の水質を調べたりして行われるが、この温度センサーの設置や所定の位置からの採水に関しては、図９に図示したようにまずは掘削形成した所定径の掘削孔21に管部材22を設置した構造の井戸23を形成した後、この井戸23に地質調査器具24を降下させることで地中に設置したり採水したりしている。符号24ａは配線である。
【０００５】
ところが、この従来から行われている地質調査器具24の設置作業は、地質調査器具24を良好に降下させるに十分な大きさの径の井戸23を形成しなければならない為、それだけ作業に無駄が生じており、よって、作業面とコスト面に問題点があると指摘されている（一つの地質調査地域に多いところでは何十本・何百本もの井戸23が掘られる。）。
【０００６】
本発明は、上述した問題点を解決する画期的な地質調査器具を地中に設置するための設置装置を提供するものである。
【０００７】
【課題を解決するための手段】
添付図面を参照して本発明の要旨を説明する。
【０００８】
地質調査で使用される各種計測センサーや採水ポンプなどの地質調査器具５を地中に設置するための装置であって、前記地質調査器具５を設けた先細り体１と、この先細り体１の上側に設置してこの先細り体１を地中に打ち込むための互いに着脱自在に連結される複数の打ち込み体２とから構成し、この打ち込み体２夫々の上端部に着脱自在となるノッキングヘッド８を設け、このノッキングヘッド８は、該ノッキングヘッド８に設けたガイド棒９に対してスライド移動する重り体10により打撃される構成であり、この打ち込み体２を打撃して打ち込み体２を地中に打ち込むことで先細り体１を所定深さまで打ち込んだ後、打ち込み体２を地中から引き抜いて先細り体１を地中に置き去り状態にすることで前記地質調査器具５を地中に設置し得るように構成したことを特徴とする地質調査器具を地中に設置するための設置装置に係るものである。
【０００９】
また、前記打ち込み体２の下端部に前記先細り体１の上部所定位置に上方へのみ離脱自在に係合し得る係合部２ａを設けたことを特徴とする請求項１記載の地質調査器具を地中に設置するための設置装置に係るものである。
【００１０】
また、前記打ち込み体２として管状部材から成る打ち込み体２を採用して、前記先細り体１に設けられる各種計測センサーや採水ポンプなどの地質調査器具５の配線５ａを地上へ導出し得るように構成したことを特徴とする請求項１，２のいずれか１項に記載の地質調査器具を地中に設置するための設置装置に係るものである。
【００１１】
【発明の作用及び効果】
本発明は、例えば各種計測センサーや採水ポンプなどの地質調査器具５の地中への設置作業に際し、先細り体１の上側に打ち込み体２を設置し、この打ち込み体２を打撃して打ち込み体２を地中に打ち込むことで先細り体１を所定深さまで打ち込み、その後、打ち込み体２を地中から引き抜くと、先細り体１は地中に置き去り状態となり、この先細り体１に設けた地質調査器具５が地中に設置されることになる。
【００１２】
従って、単なる先細り体１と打ち込み体２の打ち込み作業を行うだけで地質調査器具５を簡易且つ迅速に地中に設置することができて飛躍的に作業能率を向上することができ、しかも、無駄な作業がなくなる分だけコスト安も確実に達成されることになる。
【００１３】
以上のように、本発明は、従来にない画期的な作用効果を発揮し、極めて商品価値の高いものになる。
【００１４】
【発明の実施の態様】
図面は本発明の一実施例を図示したものであり、以下に説明する。
【００１５】
本実施例は、地質調査で使用される各種計測センサーや採水ポンプなどの地質調査器具５を地中に設置するためのものである。
【００１６】
尚、本実施例では、地質調査器具５として温度センサーと採水ポンプを図示して説明しているが、これに限らず本実施例の特性を発揮するものであれば適宜採用するものである。
【００１７】
以下、本実施例に係る構成各部について詳細な説明をする。
【００１８】
先細り体１は、図１〜３に図示したように適宜な金属製の部材を形成したものであり、円柱形状の基部１ａの下端部には円錐形状の先細り部１ｂが設けられ、更に、上端部には当該基部１ａよりも径小の円柱形状の突部１ｃが設けられている（尚、先細り体１は金属製に限られるものではなく、例えばＦＲＰ製にするなど本実施例の特性を発揮する素材のものであれば適宜採用するものである。）。
【００１９】
この突部１ｃは、後述する打ち込み体２の下端部に設けた管状の係合部２ａを離脱自在に被嵌連結し得るように構成されている。
【００２０】
従って、この突部１ｃは、打ち込み体２を被嵌させた際、打ち込み体２の上方より打ち込んだ方向とは逆方向となる抜け方向への移動のみを許容して、左右方向（ずれ方向）への移動を確実に阻止することになる。
【００２１】
また、突部１ｃは、基部１ａよりも径小となるように構成されることで当該基部１ａとの連設部位に環状の段部１ｄが形成されており、この段部１ｄに突部１ｃに被嵌連結させた打ち込み体２の先端（係合部２ａの先端）が当接するように構成されている。
【００２２】
従って、先細り体１の上側に打ち込み体２を配設し、この状態で打ち込み体２の上端部を打撃若しくは押圧することで打ち込み体２の先端が先細り体１を打撃若しくは押圧して先細り体１を地中に打ち込むことができる。
【００２３】
また、突部１ｃは、その上面部に地質調査器具５の設置部１ｅが設けられており、この設置部１ｅは、例えば図２に図示したように地質調査器具５としての温度センサー（符号５ａは配線としてのコード）を収納し得るように構成したり、図３に図示したように地質調査器具５としての採水ポンプ（符号５ａは配管としてのホース）を接続し得るように構成したりする。
【００２４】
打ち込み体２は、複数の金属製の管状部材を連結して構成され、具体的には、先細り体１に連結する第一管状部材６と、この第一管状部材６に連結される複数の第二管状部材７とで構成されている。尚、打ち込み体２は金属製に限られるものではなく、例えばＦＲＰ製にするなど本実施例の特性を発揮する素材のものであれば適宜採用するものである。
【００２５】
この第一管状部材６は、図１〜３に図示したように適宜な金属製の部材を形成したものであり、その管孔６ａの径は、地質調査器具５及び配線５ａを内装し得る程度の径に設定されている。
【００２６】
また、第一管状部材６は、その下端部が前述した先細り体１の上端部に設けた突部１ｃに被嵌可能に設けられており、打ち込み体２の係合部２ａとして構成されている。
【００２７】
また、第一管状部材６は、その上端部内壁面に螺子溝が形成されており、後述する他の管状部材７の下端部に設けられた雄螺子部７ｂ及びノッキングヘッド８を螺着し得る雌螺子部６ｂとして構成されている。
【００２８】
第二管状部材７は、前述した第一管状部材６と同様、図１〜３に図示したように適宜な金属製の部材を形成したものであり、その外径及び管孔７ａの径は、第一管状部材６の外径及びその管孔６ａと同一径またはそれ以下に設定されている。
【００２９】
また、第二管状部材７は、その下端部外周面に螺子溝が形成されており、第一管状部材６の上端部に設けた雌螺子部６ｂ及び他の第二管状部材７の上端部に設けた雌螺子部７ｃに螺着し得る雄螺子部７ｂとして構成されている。
【００３０】
また、第二管状部材７は、その上端部内壁面に螺子溝が形成されており、他の第二管状部材７の下端部に設けられた雄螺子部７ｂ及びノッキングヘッド８を螺着し得る雌螺子部７ｃとして構成されている。
【００３１】
ノッキングヘッド８は、図４に図示したように適宜な金属製の部材を形成したものであり、第一管状部材６の上端部及び第二管状部材７の上端部夫々に設けた雌螺子部６ｂ，７ｃに螺着し得るアタッチメント３を介して連結するように構成されている。
【００３２】
また、ノッキングヘッド８は、その上部に管状のガイド棒９を螺着し得る螺子孔８ａが形成され、このガイド棒９にスライド移動自在に被嵌され、自重により落下せしめる重り体10により打撃されるように構成されている。
【００３３】
また、アタッチメント３は、その上端部に開口窓３ａが形成されており、これはノッキングヘッド８を打撃する際、地質調査器具５の配線５ａが挟まるのを防止するための構成である。
【００３４】
尚、打ち込み体２を打ち込むための手段としては前述した場合に限らず、先細り体１が埋設できる手段（打ち込み手段や押圧手段（ねじ込み押圧も含む））であれば適宜採用するものである。
【００３５】
以上の構成からなる本装置を使用した地質調査器具５の地中への設置方法について説明する。
【００３６】
まず、図５に図示したように先細り体１に一の打ち込み体２（第一管状部材６）を被嵌連結し、この状態で打ち込み体２の上端部を打ち込む。
【００３７】
続いて、図６に図示したように一の打ち込み体２（第一管状部材６）の上端部に他の打ち込み体２（第二管状部材７）を螺着連結し、この状態で打ち込み体２を打ち込む。
【００３８】
この要領で順次打ち込み体２（第二管状部材７）を継合させて打ち込み、先細り体１を所定の深さまで打ち込む（図７参照）。
【００３９】
その後、順次打ち込み体２同志の連結を解除しながら打ち込み体２を地中から引き抜く作業を行い、先細り体１を地中に置き去り状態にすることで地質調査器具５も地中に置き去り状態となり、設置作業は完了する（図８参照）。
【００４０】
符号４は地質調査器具５の観測機器及び制御装置である。
【００４１】
本実施例は上述のように構成したから、従来のように地質調査器具を埋める箇所ごとに井戸を形成する必要はなく、単なる先細り体１と打ち込み体２の打ち込み作業を行うだけで地質調査器具５を簡易且つ迅速に地中に設置することができて飛躍的に作業能率を向上することができ、しかも、無駄な作業がなくなる分だけコスト安も達成されることになる。
【００４２】
また、本実施例は、一の先細り体１を地中に設置した後は、打ち込み体２は地中から引き抜かれることになるため、直ちに他の先細り体１の設置作業で使用することができる。
【００４３】
また、本実施例は、打ち込み体２の下端部に先細り体１の上部所定位置に上方より打ち込んだ方向とは反対の方向へのみ離脱自在に係合し得る係合部２ａを設けたから、打ち込み体２を強く打撃しても先細り体１からずれて外れてしまうようなことは一切なく、良好な打ち込みが迅速且つ確実に行えることになる。
【００４４】
また、本実施例は、打ち込み体２として管状部材から成る打ち込み体２を採用して、先細り体１に設けられる温度センサーや採水ポンプなどの地質調査器具５の配線５ａを地上へ導出し得るように構成したから、無線タイプの地質調査器具５は勿論、この配線５ａを有する地質調査器具５でも良好に打ち込むことができる。
【００４５】
尚、本発明は、本実施例に限られるものではなく、各構成要件の具体的構成は適宜設計し得るものである。
【図面の簡単な説明】
【図１】  本実施例を示す説明図である。
【図２】  本実施例に係る要部の部分断面図である。
【図３】  本実施例に係る要部の部分断面図である。
【図４】  本実施例に係る要部の概略動作説明図である。
【図５】  本実施例の使用状態説明図である。
【図６】  本実施例の使用状態説明図である。
【図７】  本実施例の使用状態説明図である。
【図８】  本実施例の使用状態説明図である。
【図９】  従来工法の説明図である。
【符号の説明】
１  先細り体
２  打ち込み体
２ａ  係合部
５  地質調査器具
５ａ  配線
８ ノッキングヘッド
９ ガイド棒
10 重り体
【図１】
0003935717.tif 000002
【図２】
0003935717.tif 000003
【図３】
0003935717.tif 000004
【図４】
0003935717.tif 000005
【図５】
0003935717.tif 000006
【図６】
0003935717.tif 000007
【図７】
0003935717.tif 000008
【図８】
0003935717.tif 000009
【図９】
0003935717.tif 000010